(57)【特許請求の範囲】
【請求項１】
ワイヤレス通信の方法であって、
基地局において、第１のサブフレームについて基準信号を生成することと、ここにおいて、前記生成することが、システム帯域幅に依存しない所定の共通周波数を中心としてリソースブロック（ＲＢ）の固定セットについての前記基準信号の第１のシーケンスの中心を合わせることを含む、
前記基地局において、別のサブフレームについて第２の基準信号を生成することと、ここにおいて、前記第２の基準信号の第２のシーケンスが前記第１のシーケンスとは異なり、ここにおいて、前記第１のシーケンスが第１のシステムフレーム番号または第１のサブフレーム番号に関連し、前記第２のシーケンスが第２のシステムフレーム番号または第２のサブフレーム番号に関連する、
前記基地局によって、前記別のサブフレーム中で前記第２の基準信号を送信することと、
前記基地局によって、前記第１のサブフレーム中で前記基準信号を送信することと、
同じプリコーディングを使用して、帯域幅情報搬送信号についてのＲＢのセットの各ＲＢ、または、
前記ＵＥに知られている固定セットプリコーディングパラメータを使用して、帯域幅情報搬送信号についてのＲＢのセット
のうちの少なくとも１つを、前記基地局において、プリコーディングすることと、
ＲＢの前記プリコーディングされたセットを使用して前記帯域幅情報搬送信号を送信することと
を備える、方法。
【請求項２】
前記所定の共通周波数は、前記基地局が存在する通信システムの共通セル探索帯域幅を含む、請求項１に記載の方法。
【請求項３】
ＲＢの前記固定セットについての前記第２のシーケンスが前記システム帯域幅に依存しない、請求項１に記載の方法。
【請求項４】
前記基地局において、同じプリコーディングを使用して帯域幅情報搬送信号についてのＲＢのセットの各ＲＢをプリコーディングすることと、
ＲＢの前記プリコーディングされたセットを使用して前記帯域幅情報搬送信号を送信することと
をさらに含む、請求項１に記載の方法。
【請求項５】
前記基地局において、前記ＵＥに知られている固定セットプリコーディングパラメータを使用して帯域幅情報搬送信号についてのＲＢのセットをプリコーディングすることと、
ＲＢの前記プリコーディングされたセットを使用して前記帯域幅情報搬送信号を送信することと
をさらに含む、請求項１に記載の方法。
【請求項６】
ワイヤレス通信の方法であって、
ユーザ機器（ＵＥ）において、第１のサブフレームにおいて基地局から基準信号を受信することと、
前記ＵＥによって、所定の共通周波数を中心とするリソースブロック（ＲＢ）の固定セット中の基準信号シーケンスを検出することと、ここにおいて、前記基準信号シーケンスがシステム帯域幅に依存しない、
前記基地局から現在のシステムフレーム番号（ＳＦＮ）または現在のサブフレーム番号を取得すること、ここにおいて、前記基準信号シーケンスを前記検出することが前記現在のＳＦＮまたは前記現在のサブフレーム番号に基づく、
前記ＵＥによって、前記基準信号シーケンスに基づいてチャネル推定値を生成することと、
前記ＵＥによって、前記チャネル推定値を使用して、前記基地局から受信された帯域幅情報搬送信号を復号することと、
を備え、ここにおいて、前記帯域幅情報搬送信号を前記復号することは、
前記基地局からの前記帯域幅情報搬送信号を搬送するＲＢのセット中の各ＲＢについて同じプリコーディングを使用して、前記帯域幅情報搬送信号を復号すること、または、
前記帯域幅情報搬送信号についての前記所定の共通周波数を中心とするＲＢの前記固定セットについてのプリコーディングパラメータの所定のセットを使用して、前記帯域幅情報搬送信号を復号すること、ここにおいて、前記ＵＥが、知られているプリコーディングシーケンスを使用してＲＢの前記固定セットの関連するＲＢを復号するために、プリコーディングパラメータの前記所定のセットから前記プリコーディングパラメータを選択する
のうちの少なくとも１つを含む、
方法。
【請求項７】
前記所定の共通周波数は、前記ＵＥが存在する通信システムの共通セル探索帯域幅を含む、請求項６に記載の方法。
【請求項８】
前記ＵＥにおいて、別のサブフレームにおいて前記基地局から第２の基準信号を受信することと、
前記基地局から前記別のサブフレームに関連する別のＳＦＮまたは別のサブフレーム番号を取得することと、
前記所定の共通周波数を中心とするＲＢの前記固定セット中の第２の基準信号シーケンスを検出することと、ここにおいて、前記検出することが前記別のＳＦＮに基づく、
前記第２の基準信号シーケンスに基づいて第２のチャネル推定値を生成することと、
前記チャネル推定値を使用して前記基地局からの第２の帯域幅情報搬送信号を復号することと
をさらに含む、請求項６に記載の方法。
【請求項９】
前記第２の基準信号シーケンスが前記システム帯域幅に依存しない、請求項８に記載の方法。
【請求項１０】
前記帯域幅情報搬送信号を前記復号することが、
前記基地局からの前記帯域幅情報搬送信号を搬送するＲＢのセット中の各ＲＢについての同じプリコーディングを使用して、前記帯域幅情報搬送信号を復号すること
を含む、請求項６に記載の方法。
【請求項１１】
前記帯域幅情報搬送信号を前記復号することが、
前記帯域幅情報搬送信号についての前記所定の共通周波数を中心とするＲＢの前記固定セットについてのプリコーディングパラメータの所定のセットを使用して、前記帯域幅情報搬送信号を復号すること、ここにおいて、前記ＵＥが、知られているプリコーディングシーケンスを使用してＲＢの前記固定セットの関連するＲＢを復号するために、プリコーディングパラメータの前記所定のセットから前記プリコーディングパラメータを選択する、
を含む、請求項６に記載の方法。
【請求項１２】
プログラムコードを記録した非一時的なコンピュータ可読媒体であって、前記プログラムコードは、
基地局において、コンピュータに、第１のサブフレームについて基準信号を生成させるためのプログラムコードと、ここにおいて、生成するための前記プログラムコードが、所定の共通周波数を中心としてリソースブロック（ＲＢ）の固定セットについての第１の基準信号シーケンスの中心を合わせるためのプログラムコードを含む、
前記基地局において、別のサブフレームについて第２の基準信号を生成するためのプログラムコードと、ここにおいて、前記第２の基準信号の第２の基準信号シーケンスが前記第１の基準信号シーケンスとは異なり、前記第１の基準信号シーケンスが第１のシステムフレーム番号または第１のサブフレーム番号に関連し、前記第２の基準信号シーケンスが第２のシステムフレーム番号または第２のサブフレーム番号に関連する、
前記基地局によって、前記第１のサブフレーム中で前記基準信号をユーザ機器（ＵＥ）に送信するためのプログラムコードと、
前記基地局によって、前記別のサブフレーム中で前記第２の基準信号を前記ＵＥに送信するためのプログラムコードと、
同じプリコーディングを使用して、帯域幅情報搬送信号についてのＲＢのセットの各ＲＢ、または、
前記ＵＥに知られている固定セットプリコーディングパラメータを使用して、帯域幅情報搬送信号についてのＲＢのセット
のうちの少なくとも１つを、前記基地局において、プリコーディングするためのプログラムコードと、
ＲＢの前記プリコーディングされたセットを使用して前記帯域幅情報搬送信号を送信するためのプログラムコードと
を備える、非一時的なコンピュータ可読媒体。
【請求項１３】
前記所定の共通周波数は、前記基地局が存在する通信システムの共通セル探索帯域幅を含む、請求項１２に記載の非一時的なコンピュータ可読媒体。
【請求項１４】
ＲＢの前記固定セットについての前記第２の基準信号シーケンスが前記システム帯域幅に依存しない、請求項１２に記載の非一時的なコンピュータ可読媒体。
【請求項１５】
前記基地局において、同じプリコーディングを使用して帯域幅情報搬送信号についてのＲＢのセットの各ＲＢをプリコーディングするためのプログラムコードと、
ＲＢの前記プリコーディングされたセットを使用して前記帯域幅情報搬送信号を送信するためのプログラムコードと
をさらに含む、請求項１２に記載の非一時的なコンピュータ可読媒体。
【請求項１６】
前記基地局において、前記ＵＥに知られている固定セットプリコーディングパラメータを使用して帯域幅情報搬送信号についてのＲＢのセットをプリコーディングするためのプログラムコードと、
ＲＢの前記プリコーディングされたセットを使用して前記帯域幅情報搬送信号を送信するためのプログラムコードと
をさらに含む、請求項１２に記載の非一時的なコンピュータ可読媒体。
【請求項１７】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
基地局において、第１のサブフレームについて基準信号を生成することと、ここにおいて、生成するための前記少なくとも１つのプロセッサの前記構成が、所定の共通周波数を中心としてリソースブロック（ＲＢ）の固定セットについての第１の基準信号シーケンスの中心を合わせるための構成を含む、
前記基地局において、別のサブフレームについて第２の基準信号を生成することと、ここにおいて、前記第２の基準信号の第２の基準信号シーケンスが前記第１の基準信号シーケンスとは異なり、前記第１の基準信号シーケンスが第１のシステムフレーム番号または第１のサブフレーム番号に関連し、前記第２の基準信号シーケンスが第２のシステムフレーム番号または第２のサブフレーム番号に関連する、
前記基地局によって、前記第１のサブフレーム中で前記基準信号をユーザ機器（ＵＥ）に送信することと、
前記基地局によって、前記別のサブフレーム中で前記第２の基準信号を前記ＵＥに送信することと、
同じプリコーディングを使用して、帯域幅情報搬送信号についてのＲＢのセットの各ＲＢ、または、
前記ＵＥに知られている固定セットプリコーディングパラメータを使用して、帯域幅情報搬送信号についてのＲＢのセット
のうちの少なくとも１つを、前記基地局において、プリコーディングすることと、
ＲＢの前記プリコーディングされたセットを使用して前記帯域幅情報搬送信号を送信することと
を行うように構成された、装置。
【請求項１８】
前記所定の共通周波数は、前記基地局が存在する通信システムの共通セル探索帯域幅を含む、請求項１７に記載の装置。
【請求項１９】
ＲＢの前記固定セットについての前記第２の基準信号シーケンスが前記システム帯域幅に依存しない、請求項１７に記載の装置。
【請求項２０】
前記少なくとも１つのプロセッサが、
前記基地局において、同じプリコーディングを使用して帯域幅情報搬送信号についてのＲＢのセットの各ＲＢをプリコーディングすることと、
ＲＢの前記プリコーディングされたセットを使用して前記帯域幅情報搬送信号を送信することと
を行うようにさらに構成された、請求項１７に記載の装置。
【請求項２１】
前記少なくとも１つのプロセッサが、
前記基地局において、前記ＵＥに知られている固定セットプリコーディングパラメータを使用して帯域幅情報搬送信号についてのＲＢのセットをプリコーディングすることと、
ＲＢの前記プリコーディングされたセットを使用して前記帯域幅情報搬送信号を送信することと
を行うようにさらに構成された、請求項１７に記載の装置。
【発明の詳細な説明】
【技術分野】
【０００１】
関連出願の相互参照
[0001]本出願は、その全体が参照により本明細書に明確に組み込まれる、２０１３年９月２０日に出願された「SEQUENCE MAPPING FOR LTE-U」と題する米国仮特許出願第６１／８８０，４９９号、および２０１４年９月１７日に出願された「Sequence mapping for lte/lte-a with unlicensed spectrum」と題する米国実用特許出願第１４／４８９，２２６号の利益を主張する。
【０００２】
[0002]本開示の態様は、一般にワイヤレス通信システムに関し、より詳細には、無認可スペクトルを用いるロングタームエボリューション（ＬＴＥ（登録商標）：long term evolution）／ＬＴＥアドバンスト（ＬＴＥ−Ａ：LTE-Advanced）通信システムのための基準信号のシーケンスマッピングに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続（multiple-access）ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されて、干渉および輻輳ネットワークの可能性が増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]本開示の一態様では、ワイヤレス通信の方法は、基地局において、第１のサブフレームについて基準信号を生成することであって、生成することが、所定の共通周波数を中心としてリソースブロック（ＲＢ）の固定セットについて第１の基準信号シーケンスの中心を合わせることを含み、ＲＢの固定セットについての第１の基準信号シーケンスがシステム帯域幅に依存しない、生成することと、基地局によって、第１のサブフレーム中で基準信号をＵＥに送信することと、を含む。
【０００８】
[0008]本開示の追加の態様では、ワイヤレス通信の方法は、ＵＥにおいて、第１のサブフレームにおいて基地局から基準信号を受信することと、ＵＥによって、所定の共通周波数を中心とするＲＢの固定セット中の基準信号シーケンスを検出することであって、ここにおいて、基準信号シーケンスがシステム帯域幅に依存しない、検出することと、ＵＥによって、基準信号シーケンスに基づいてチャネル推定値を生成することと、ＵＥによって、チャネル推定値を使用して、基地局から受信された帯域幅情報搬送信号（bandwidth information bearing signal）を復号することと、を含む。
【０００９】
[0009]本開示の追加の態様では、ワイヤレス通信の方法は、基地局において、複数の第１の基準信号を生成することであって、複数の第１の基準信号の各々が、基地局のセル識別子（ＩＤ）に応じて構成された基準信号シーケンスを含む、生成することと、基地局によって、所定の周期性で帯域幅情報搬送信号をブロードキャストすることと、基地局によって、複数の第１の基準信号を送信することであって、複数の第１の基準信号の各々が所定の周期性で連続的に送信される、送信することと、を含む。
【００１０】
[0010]本開示の追加の態様では、ワイヤレス通信の方法は、ＵＥにおいて、基地局から第１の基準信号を受信することと、ＵＥによって、第１の基準信号中の基準信号シーケンスを検出することであって、基準信号シーケンスが、基地局に関連するセルＩＤに基づいて検出される、検出することと、ＵＥによって、基準信号シーケンスに基づいてチャネル推定値を生成することと、ＵＥによって、チャネル推定値を使用して、基地局から受信された帯域幅情報搬送信号を復号することと、を含む。
【００１１】
[0011]本開示の追加の態様では、ワイヤレス通信のために構成された装置は、基地局において、第１のサブフレームについて基準信号を生成するための手段であって、生成するための手段が、所定の共通周波数を中心としてリソースブロック（ＲＢ）の固定セットについて第１の基準信号シーケンスの中心を合わせるための手段を含み、ＲＢの固定セットについての第１の基準信号シーケンスがシステム帯域幅に依存しない、生成するための手段と、基地局によって、第１のサブフレーム中で基準信号をＵＥに送信するための手段と、を含む。
【００１２】
[0012]本開示の追加の態様では、ワイヤレス通信のために構成された装置は、ＵＥにおいて、第１のサブフレームにおいて基地局から基準信号を受信するための手段と、ＵＥによって、所定の共通周波数を中心とするＲＢの固定セット中の基準信号シーケンスを検出するための手段であって、基準信号シーケンスがシステム帯域幅に依存しない、検出するための手段と、ＵＥによって、基準信号シーケンスに基づいてチャネル推定値を生成するための手段と、ＵＥによって、チャネル推定値を使用して、基地局から受信された帯域幅情報搬送信号を復号するための手段と、を含む。
【００１３】
[0013]本開示の追加の態様では、ワイヤレス通信のために構成された装置は、基地局において、複数の第１の基準信号を生成するための手段であって、複数の第１の基準信号の各々が、基地局のセル識別子（ＩＤ）に応じて構成された基準信号シーケンスを含む、生成するための手段と、基地局によって、所定の周期性で帯域幅情報搬送信号をブロードキャストするための手段と、基地局によって、複数の第１の基準信号を送信するための手段であって、複数の第１の基準信号の各々が所定の周期性で連続的に送信される、送信するための手段と、を含む。
【００１４】
[0014]本開示の追加の態様では、ワイヤレス通信のために構成された装置は、ＵＥにおいて、基地局から第１の基準信号を受信するための手段と、ＵＥによって、第１の基準信号中の基準信号シーケンスを検出するための手段であって、基準信号シーケンスが、基地局に関連するセルＩＤに基づいて検出される、検出するための手段と、ＵＥによって、基準信号シーケンスに基づいてチャネル推定値を生成するための手段と、ＵＥによって、チャネル推定値を使用して、基地局から受信された帯域幅情報搬送信号を復号するための手段と、を含む。
【００１５】
[0015]本開示の追加の態様では、コンピュータプログラム製品は、プログラムコードを記録したコンピュータ可読媒体を有する。このプログラムコードは、基地局において、第１のサブフレームについて基準信号を生成するためのコードであって、生成するためのコードが、所定の共通周波数を中心としてリソースブロック（ＲＢ）の固定セットについて基準信号の第１の基準信号シーケンスの中心を合わせるためのコードを含み、ＲＢの固定セットについての第１の基準信号シーケンスがシステム帯域幅に依存しない、生成するためのコードと、基地局によって、第１のサブフレーム中で基準信号をＵＥに送信するためのコードと、を含む。
【００１６】
[0016]本開示の追加の態様では、コンピュータプログラム製品は、プログラムコードを記録したコンピュータ可読媒体を有する。このプログラムコードは、ＵＥにおいて、第１のサブフレームにおいて基地局から基準信号を受信するためのコードと、ＵＥによって、所定の共通周波数を中心とするＲＢの固定セット中の基準信号シーケンスを検出するためのコードであって、基準信号シーケンスがシステム帯域幅に依存しない、検出するためのコードと、ＵＥによって、基準信号シーケンスに基づいてチャネル推定値を生成するためのコードと、ＵＥによって、チャネル推定値を使用して、基地局から受信された帯域幅情報搬送信号を復号するためのコードとを含む。
【００１７】
[0017]本開示の追加の態様では、コンピュータプログラム製品は、プログラムコードを記録したコンピュータ可読媒体を有する。このプログラムコードは、基地局において、複数の第１の基準信号を生成するためのコードであって、複数の第１の基準信号の各々が、基地局のセル識別子（ＩＤ）に応じて構成された基準信号シーケンスを含む、生成するためのコードと、基地局によって、所定の周期性で帯域幅情報搬送信号をブロードキャストするためのコードと、基地局によって、複数の第１の基準信号を送信するためのコードであって、複数の第１の基準信号の各々中が所定の周期性で連続的に送信される、送信するためのコードと、を含む。
【００１８】
[0018]本開示の追加の態様では、コンピュータプログラム製品は、プログラムコードを記録したコンピュータ可読媒体を有する。このプログラムコードは、ＵＥにおいて、基地局から第１の基準信号を受信するためのコードと、ＵＥによって、第１の基準信号中の基準信号シーケンスを検出することであって、基準信号シーケンスが、基地局に関連するセルＩＤに基づいて検出される、検出することと、ＵＥによって、基準信号シーケンスに基づいてチャネル推定値を生成するためのコードと、ＵＥによって、チャネル推定値を使用して、基地局から受信された帯域幅情報搬送信号を復号するためのコードとを含む。
【００１９】
[0019]本開示の追加の態様では、装置は、少なくとも１つのプロセッサと、プロセッサに結合されたメモリとを含む。プロセッサは、基地局において、第１のサブフレームについて基準信号を生成することであって、生成するための少なくとも１つのプロセッサの構成が、所定の共通周波数を中心としてリソースブロック（ＲＢ）の固定セットについて基準信号の第１の基準信号シーケンスの中心を合わせるための構成を含み、ＲＢの固定セットについての第１の基準信号シーケンスがシステム帯域幅に依存しない、生成することと、基地局によって、第１のサブフレーム中で基準信号をＵＥに送信することと、を行うように構成される。
【００２０】
[0020]本開示の追加の態様では、装置は、少なくとも１つのプロセッサと、プロセッサに結合されたメモリとを含む。プロセッサは、ＵＥにおいて、第１のサブフレームにおいて基地局から基準信号を受信することと、ＵＥによって、所定の共通周波数を中心とするＲＢの固定セット中の基準信号シーケンスを検出することであって、基準信号シーケンスがシステム帯域幅に依存しない、検出することと、ＵＥによって、基準信号シーケンスに基づいてチャネル推定値を生成することと、ＵＥによって、チャネル推定値を使用して、基地局から受信された帯域幅情報搬送信号を復号することと、を行うように構成される。
【００２１】
[0021]本開示の追加の態様では、装置は、少なくとも１つのプロセッサと、プロセッサに結合されたメモリとを含む。プロセッサは、基地局において、複数の第１の基準信号を生成することであって、複数の第１の基準信号の各々が、基地局のセル識別子（ＩＤ）に応じて構成された基準信号シーケンスを含む、生成することと、基地局によって、所定の周期性で帯域幅情報搬送信号をブロードキャストすることと、基地局によって、複数の第１の基準信号を送信することであって、複数の第１の基準信号の各々中が所定の周期性で連続的に送信される、送信することと、を行うように構成される。
【００２２】
[0022]本開示の追加の態様では、装置は、少なくとも１つのプロセッサと、プロセッサに結合されたメモリとを含む。プロセッサは、ＵＥにおいて、基地局から第１の基準信号を受信することと、ＵＥによって、第１の基準信号中の基準信号シーケンスを検出することであって、基準信号シーケンスが、基地局に関連するセルＩＤに基づいて検出される、検出することと、ＵＥによって、基準信号シーケンスに基づいてチャネル推定値を生成することと、ＵＥによって、チャネル推定値を使用して、基地局から受信された帯域幅情報搬送信号を復号することとを行うように構成される。
【図面の簡単な説明】
【００２３】
【図１】[0023]様々な実施形態による、ワイヤレス通信システムの一例を示す図。
【図２Ａ】[0024]様々な実施形態による、無認可スペクトル中でＬＴＥを使用するための展開シナリオの例を示す図。
【図２Ｂ】[0025]様々な実施形態による、無認可スペクトル中でＬＴＥを使用するための展開シナリオの別の例を示す図。
【図３】[0026]様々な実施形態による、認可および無認可スペクトル中でＬＴＥをコンカレントに使用するときのキャリアアグリゲーションの一例を示す図。
【図４】[0027]本開示の一態様に従って構成された、基地局／ｅＮＢおよびＵＥの設計を概念的に示すブロック図。
【図５Ａ】[0028]異なるシステム帯域幅を有する通信システムのための共通基準信号を含む送信ブロックを示すブロック図。
【図５Ｂ】[0029]異なるシステム帯域幅を有する通信システムのためのユーザ機器固有基準信号を含む送信ブロックを示すブロック図。
【図６Ａ】[0030]本開示の一態様を実装するために実行される例示的なブロックを示す機能ブロック図。
【図６Ｂ】本開示の一態様を実装するために実行される例示的なブロックを示す機能ブロック図。
【図７Ａ】[0031]本開示の一態様を実装するために実行される例示的なブロックを示す機能ブロック図。
【図７Ｂ】本開示の一態様を実装するために実行される例示的なブロックを示す機能ブロック図。
【図８】[0032]本開示の一態様に従って構成された基地局とＵＥとを有するワイヤレス通信システムにおける送信ストリームを示すブロック図。
【図９】[0033]本開示の一態様に従って構成された基地局とＵＥとを有するワイヤレス通信システムにおける送信ストリームを示すブロック図。
【詳細な説明】
【００２４】
[0034]添付の図面に関して以下に示す詳細な説明は、様々な構成を説明するものであり、本開示の範囲を限定するものではない。むしろ、詳細な説明は、本発明の主題の完全な理解を与えるための具体的な詳細を包含する。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００２５】
[0035]事業者は、これまで、セルラーネットワークにおける輻輳の増加し続けるレベルを軽減するために無認可スペクトルを使用するための主要なメカニズムとしてＷｉＦｉ（登録商標）に目を向けてきた。しかしながら、無認可スペクトル中のＬＴＥ／ＬＴＥ−Ａに基づくニューキャリアタイプ（ＮＣＴ：new carrier type）はキャリアグレードＷｉＦｉに適合し得るので、無認可スペクトルを用いるＬＴＥ／ＬＴＥ−ＡがＷｉＦｉの代替になり得る。無認可スペクトルを用いるＬＴＥ／ＬＴＥ−Ａは、ＬＴＥ概念を活用し得、無認可スペクトル中での効率的な動作を提供することと、規制要件を満たすこととのために、ネットワークまたはネットワークデバイスの物理レイヤ（ＰＨＹ）およびメディアアクセス制御（ＭＡＣ）態様にいくらかの変更を導入し得る。無認可スペクトルは、たとえば、６００メガヘルツ（ＭＨｚ）から６ギガヘルツ（ＧＨｚ）までにわたり得る。いくつかのシナリオでは、無認可スペクトルを用いるＬＴＥ／ＬＴＥ−ＡはＷｉＦｉよりも著しく良好に機能し得る。たとえば、全ＷｉＦｉ展開と比較して、または高密度スモールセル展開があるとき、（単一または複数の事業者のための）無認可スペクトルを用いる全ＬＴＥ／ＬＴＥ−Ａ展開は、無認可スペクトルを用いるＬＴＥ／ＬＴＥ−ＡはＷｉＦｉよりも著しく良好に機能し得る。無認可スペクトルを用いるＬＴＥ／ＬＴＥ−Ａは、無認可スペクトルを用いるＬＴＥ／ＬＴＥ−Ａが（単一または複数の事業者のために）ＷｉＦｉと混合されるときなど、他のシナリオにおけるＷｉＦｉよりも良好に機能し得る。
【００２６】
[0036]単一のサービスプロバイダ（ＳＰ）の場合、無認可スペクトル上のＬＴＥ／ＬＴＥ−Ａネットワークは、認可スペクトル上のＬＴＥネットワークと同期しているように構成され得る。しかしながら、マルチプルなＳＰによって所与のチャネル上で展開された無認可スペクトルを用いるＬＴＥ／ＬＴＥ−Ａネットワークは、マルチプルなＳＰにわたって同期しているように構成され得る。上記の特徴の両方を組み込むための１つの手法は、所与のＳＰについて、無認可スペクトルを用いるＬＴＥ／ＬＴＥ−Ａと、無認可スペクトルを用いないＬＴＥ／ＬＴＥ−Ａとの間で一定のタイミングオフセットを使用することを伴い得る。無認可スペクトルを用いるＬＴＥ／ＬＴＥ−Ａネットワークは、ＳＰの必要に従ってユニキャストおよび／またはマルチキャストサービスを提供し得る。さらに、無認可スペクトルを用いるＬＴＥ／ＬＴＥ−Ａネットワークは、ＬＴＥセルが、アンカーとして働き、関連するセル情報（たとえば、無線フレームタイミング、共通チャネル構成、サブフレーム番号、システムフレーム番号またはＳＦＮなど）を提供する、ブートストラップモードで動作し得る。このモードでは、無認可スペクトルを用いるＬＴＥ／ＬＴＥ−Ａと、無認可スペクトルを用いないＬＴＥ／ＬＴＥ−Ａとの間に緊密な相互作用があり得る。たとえば、ブートストラップモードは、上記で説明した補足ダウンリンク（supplemental downlink）モードとキャリアアグリゲーションモードとをサポートし得る。無認可スペクトルを用いるＬＴＥ／ＬＴＥ−ＡネットワークのＰＨＹ−ＭＡＣレイヤは、無認可スペクトルを用いるＬＴＥ／ＬＴＥ−ＡネットワークがＬＴＥネットワークとは無関係に動作するスタンドアロンモードで動作し得る。この場合、たとえば、無認可スペクトルを用いるコロケートされたＬＴＥ／ＬＴＥ−ＡセルとのＲＬＣレベルアグリゲーション、あるいはマルチプルなセルおよび／または基地局にわたるマルチフローに基づいて、無認可スペクトルを用いるＬＴＥ／ＬＴＥ−Ａと、無認可スペクトルを用いないＬＴＥ／ＬＴＥ−Ａとの間に緩い（loose）相互作用があり得る。
【００２７】
[0037]本明細書で説明する技法は、ＬＴＥに限定されず、ＣＤＭＡ、ＴＤＭＡ、ＦＤＭＡ、ＯＦＤＭＡ、ＳＣ−ＦＤＭＡ、および他のシステムなど、様々なワイヤレス通信システムのためにも使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００２８】
[0038]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２９】
[0039]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介してコアネットワーク１３０と制御情報および／またはユーザデータを通信し得る。実施形態では、基地局１０５は、ワイヤードまたはワイヤレス通信リンクであり
得るバックホールリンク１３４を介して互いと直接または間接的に通信し得る。システム１００は、マルチプルなキャリア（異なる周波数の波形信号）上での動作をサポートし得る。マルチキャリア送信機は、マルチプルなキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３０】
[0040]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ：basic service set）、拡張サービスセット（ＥＳＳ：extended service set）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。システム１００は、異なるタイプの基地局１０５（たとえば、マクロ基地局、マイクロ基地局、および／またはピコ基地局）を含み得る。異なる技術のための重複するカバレージエリアがあり得る。
【００３１】
[0041]いくつかの実施形態では、システム１００は、１つまたは複数の無認可スペクトル動作モードまたは展開シナリオをサポートするＬＴＥ／ＬＴＥ−Ａネットワークである。他の実施形態では、システム１００は、無認可スペクトルと、無認可スペクトルを用いるＬＴＥ／ＬＴＥ−Ａとは異なるアクセス技術とを使用して、または認可スペクトルと、ＬＴＥ／ＬＴＥ−Ａとは異なるアクセス技術とを使用して、ワイヤレス通信をサポートし得る。発展型ノードＢ（ｅＮＢ：evolved Node B）およびユーザ機器（ＵＥ）という用語は、概して、それぞれ基地局１０５およびデバイス１１５を表すために使用され得る。システム１００は、異なるタイプのｅＮＢがその中で様々な地理的領域にカバレージを与える、無認可スペクトルを用いるまたは用いない異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは低電力ノードまたはＬＰＮを含み得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、家庭）をカバーすることになり、無制限アクセスに加えて、フェムトセルとの関連を有するＵＥ（たとえば、限定加入者グループ（ＣＳＧ：closed subscriber group）中のＵＥ、家庭内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３２】
[0042]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を通して）直接または間接的に、互いと通信し得る。システム１００は同期動作または非同期動作をサポートし得る。同期動作の場合、ｅＮＢは同様のフレームタイミングおよび／またはゲーティングタイミングを有し得、異なるｅＮＢからの送信は近似的に時間的に整合され得る。非同期動作の場合、ｅＮＢは異なるフレームタイミングおよび／またはゲーティングタイミングを有し得、異なるｅＮＢからの送信は時間的に整合されないことがある。本明細書で説明する技法は、同期動作または非同期動作のいずれかのために使用され得る。
【００３３】
[0043]ＵＥ１１５はシステム１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３４】
[0044]システム１００中に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可スペクトル、無認可スペクトル、またはその両方を使用して行われ得る。同様に、アップリンク送信は、認可スペクトル、無認可スペクトル、またはその両方を使用して行われ得る。
【００３５】
[0045]システム１００のいくつかの実施形態では、認可スペクトルにおけるＬＴＥダウンリンク容量が無認可スペクトルにオフロードされ得る補足ダウンリンク（ＳＤＬ：supplemental downlink）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトル中で行われ得るスタンドアロンモードとを含む、無認可スペクトルを用いるＬＴＥ／ＬＴＥ−Ａのための様々な展開シナリオがサポートされ得る。基地局１０５ならびにＵＥ１１５は、これらまたは同様の動作モードのうちの１つまたは複数をサポートし得る。無認可スペクトルにおけるＬＴＥダウンリンク送信のために通信リンク１２５中でＯＦＤＭＡ通信信号が使用され得、無認可スペクトルにおけるＬＴＥアップリンク送信のために通信リンク１２５中でＳＣ−ＦＤＭＡ通信信号が使用され得る。システム１００などのシステムにおける、無認可スペクトルを用いるＬＴＥ／ＬＴＥ−Ａ展開シナリオまたは動作モードの実装形態に関するさらなる詳細、ならびに無認可スペクトルを用いるＬＴＥ／ＬＴＥ−Ａの動作に関係する他の特徴および機能を、図２Ａ〜図９を参照しながら以下で与える。
【００３６】
[0046]次に図２Ａを参照すると、図２００は、無認可スペクトルを使用して通信をサポートするＬＴＥネットワークのための補足ダウンリンクモードおよびキャリアアグリゲーションモードの例を示している。図２００は図１のシステム１００の部分の一例であり得る。さらに、基地局１０５−ａは図１の基地局１０５の例であり得、ＵＥ１１５−ａは図１のＵＥ１１５の例であり得る。
【００３７】
[0047]図２００における補足ダウンリンクモードの例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連する。基地局１０５−ａは、双方向リンク２１０を使用して同じＵＥ１１５−ａにＯＦＤＭＡ通信信号を送信し得、双方向リンク２１０を使用してＵＥ１１５−ａからＳＣ−ＦＤＭＡ通信信号を受信し得る。双方向リンク２１０は認可スペクトル中の周波数Ｆ４に関連する。無認可スペクトル中のダウンリンク２０５と認可スペクトル中の双方向リンク２１０とはコンカレントに動作し得る。ダウンリンク２０５はダウンリンク容量オフロードを基地局１０５−ａに与え得る。いくつかの実施形態では、ダウンリンク２０５は、ユニキャストサービス（たとえば、１つのＵＥにアドレス指定される）サービスのために、またはマルチキャストサービス（たとえば、いくつかのＵＥにアドレス指定される）のために使用され得る。このシナリオは、認可スペクトルを使用し、トラフィックおよび／またはシグナリング輻輳の一部を軽減する必要がある、任意のサービスプロバイダ（たとえば、旧来のモバイルネットワーク事業者またはＭＮＯ）に関して発生し得る。
【００３８】
[0048]図２００におけるキャリアアグリゲーションモードの一例では、基地局１０５−ａは、双方向リンク２１５を使用してＵＥ１１５−ａにＯＦＤＭＡ通信信号を送信し得、双方向リンク２１５を使用して同じＵＥ１１５−ａからＳＣ−ＦＤＭＡ通信信号を受信し得る。双方向リンク２１５は無認可スペクトル中の周波数Ｆ１に関連する。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連する。双方向リンク２１５はダウンリンクおよびアップリンク容量オフロードを基地局１０５−ａに与え得る。上記で説明した補足ダウンリンクのように、このシナリオは、認可スペクトルを使用し、トラフィックおよび／またはシグナリング輻輳の一部を軽減する必要がある、任意のサービスプロバイダ（たとえば、ＭＮＯ）に関して発生し得る。
【００３９】
[0049]図２００におけるキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連する。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連する。双方向リンク２２５はダウンリンクおよびアップリンク容量オフロードを基地局１０５−ａに与え得る。この例および上記で与えた例は、説明の目的で提示されたものであり、容量オフロードのために、無認可スペクトルを用いるＬＴＥ／ＬＴＥ−Ａと、無認可スペクトルを用いないＬＴＥ／ＬＴＥ−Ａとを組み合わせる、他の同様の動作モードまたは展開シナリオがあり得る。
【００４０】
[0050]上記で説明したように、無認可スペクトルを用いるＬＴＥ／ＬＴＥ−Ａを使用することによって提供される容量オフロードから恩恵を受け得る一般的なサービスプロバイダは、ＬＴＥスペクトルを用いる旧来のＭＮＯである。これらのサービスプロバイダの場合、動作構成は、認可スペクトル上のＬＴＥプライマリコンポーネントキャリア（ＰＣＣ：primary component carrier）と無認可スペクトル上のＬＴＥセカンダリコンポーネントキャリア（ＳＣＣ：secondary component carrier）とを使用するブートストラップモード（たとえば、補足ダウンリンク、キャリアアグリゲーション）を含み得る。
【００４１】
[0051]補足ダウンリンクモードでは、無認可スペクトルを用いるＬＴＥ／ＬＴＥ−Ａのための制御はＬＴＥアップリンク（たとえば、双方向リンク２１０のアップリンク部分）上でトランスポートされ得る。ダウンリンク容量オフロードを与える理由の１つは、データ需要が大部分はダウンリンク消費によって引き起こされるからである。さらに、このモードでは、ＵＥが無認可スペクトルにおいて送信していないので、規制上の影響がない場合がある。ＵＥ上でリッスンビフォアトーク（ＬＢＴ：listen-before-talk）またはキャリア検知多重アクセス（ＣＳＭＡ：carrier sense multiple access）要件を実装する必要はない。しかしながら、ＬＢＴは、たとえば、周期的な（たとえば、１０ミリ秒ごとの）クリアチャネルアセスメント（ＣＣＡ：clear channel assessment）および／または無線フレーム境界にアライメントされた把持および放棄（grab-and-relinquish）機構を使用することによって、基地局（たとえば、ｅＮＢ）上で実装され得る。
【００４２】
[0052]キャリアアグリゲーションモードでは、ＬＴＥ（たとえば、双方向リンク２１０、２２０、および２３０）においてデータおよび制御が通信され得、無認可スペクトルを用いるＬＴＥ／ＬＴＥ−Ａ（たとえば、双方向リンク２１５および２２５）においてデータが通信され得る。無認可スペクトルを用いるＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションに入り得る。
【００４３】
[0053]図２Ｂに、無認可スペクトルを用いるＬＴＥ／ＬＴＥ−Ａのためのスタンドアロンモードの一例を示す図２００−ａを示す。図２００−ａは図１のシステム１００の部分の一例であり得る。さらに、基地局１０５−ｂは、図１の基地局１０５および図２Ａの基地局１０５−ａの例であり得、ＵＥ１１５−ｂは、図１のＵＥ１１５および図２ＡのＵＥ１１５−ａの例であり得る。
【００４４】
[0054]図２００−ａにおけるスタンドアロンモードの例では、基地局１０５−ｂは、双方向リンク２４０を使用してＵＥ１１５−ｂにＯＦＤＭＡ通信信号を送信し得、双方向リンク２４０を使用してＵＥ１１５−ｂからＳＣ−ＦＤＭＡ通信信号を受信し得る。双方向リンク２４０は、図２Ａに関して上記で説明した無認可スペクトル中の周波数Ｆ３に関連する。スタンドアロンモードは、スタジアム内アクセス（たとえば、ユニキャスト、マルチキャスト）など、非旧来型ワイヤレスアクセスシナリオにおいて使用され得る。この動作モードのための一般的なサービスプロバイダは、スタジアム所有者、ケーブル会社、イベント主催者、ホテル、企業、および認可スペクトルを有しない大企業であり得る。これらのサービスプロバイダの場合、スタンドアロンモードのための動作構成は無認可スペクトル上のＬＴＥ  ＰＣＣを使用し得る。さらに、ＬＢＴが基地局とＵＥの両方上で実装され得る。
【００４５】
[0055]次に図３を参照すると、図３００は、様々な実施形態による、認可および無認可スペクトル中でＬＴＥをコンカレントに使用するときのキャリアアグリゲーションの一例を示している。図３００におけるキャリアアグリゲーション方式は、図２Ａに関して上記で説明したハイブリッドＦＤＤ−ＴＤＤキャリアアグリゲーションに対応し得る。このタイプのキャリアアグリゲーションは、図１のシステム１００の少なくとも一部分において使用され得る。さらに、このタイプのキャリアアグリゲーションは、それぞれ図１および図２Ａの基地局１０５および１０５−ａにおいて、および／またはそれぞれ図１および図２ＡのＵＥ１１５および１１５−ａにおいて使用され得る。
【００４６】
[0056]この例では、ＦＤＤ（ＦＤＤ−ＬＴＥ）がダウンリンクにおいてＬＴＥに関して実行され得、第１のＴＤＤ（ＴＤＤ１）が、無認可スペクトルを用いるＬＴＥ／ＬＴＥ−Ａに関して実行され得、第２のＴＤＤ（ＴＤＤ２）がＬＴＥに関して実行され得、別のＦＤＤ（ＦＤＤ−ＬＴＥ）がアップリンクにおいてＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は、説明の目的で提示されたものであり、無認可スペクトルを用いるＬＴＥ／ＬＴＥ−Ａの動作と、無認可スペクトルを用いないＬＴＥ／ＬＴＥ−Ａの動作とを組み合わせる、他のキャリアアグリゲーション方式があり得る。
【００４７】
[0057]図４に、図１中の基地局／ｅＮＢのうちの１つであり得る基地局／ｅＮＢ１０５および図１中のＵＥのうちの１つであり得るＵＥ１１５の設計のブロック図を示す。ｅＮＢ１０５はアンテナ４３４ａ〜４３４ｔを装備し得、ＵＥ１１５はアンテナ４５２ａ〜４５２ｒを装備し得る。ｅＮＢ１０５において、送信プロセッサ４２０が、データソース４１２からデータを受信し、コントローラ／プロセッサ４４０から制御情報を受信し得る。制御情報は、物理ブロードキャストチャネル（ＰＢＣＨ：physical broadcast channel）、物理制御フォーマットインジケータチャネル（ＰＣＦＩＣＨ：physical control format indicator channel）、物理ハイブリッド自動再送要求インジケータチャネル（ＰＨＩＣＨ：physical hybrid automatic repeat request indicator channel）、物理ダウンリンク制御チャネル（ＰＤＣＣＨ：physical downlink control channel）などのためのものであり得る。データは物理ダウンリンク共有チャネル（ＰＤＳＣＨ：physical downlink shared channel）などのためのものであり得る。送信プロセッサ４２０は、データシンボルおよび制御シンボルを取得するために、それぞれデータおよび制御情報を処理（たとえば、符号化およびシンボルマッピング）し得る。送信プロセッサ４２０はまた、たとえば、プライマリ同期信号（ＰＳＳ：primary synchronization signal）、セカンダリ同期信号（ＳＳＳ：secondary synchronization signal）、およびセル固有基準信号について基準シンボルを生成し得る。送信（ＴＸ）多入力多出力（ＭＩＭＯ）プロセッサ４３０が、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに与え得る。各変調器４３２は、出力サンプルストリームを取得するために、（たとえば、ＯＦＤＭなどのために）それぞれの出力シンボルストリームを処理し得る。各変調器４３２はさらに、ダウンリンク信号を取得するために、出力サンプルストリームを処理（たとえば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００４８】
[0058]ＵＥ１１５において、アンテナ４５２ａ〜４５２ｒが、ｅＮＢ１０５からダウンリンク信号を受信し得、受信信号をそれぞれ復調器（ＤＥＭＯＤ）４５４ａ〜４５４ｒに与え得る。各復調器４５４は、入力サンプルを取得するために、それぞれの受信信号を調整（たとえば、フィルタ処理、増幅、ダウンコンバート、およびデジタル化）し得る。各復調器４５４はさらに、受信シンボルを取得するために、（たとえば、ＯＦＤＭなどのために）入力サンプルを処理し得る。ＭＩＭＯ検出器４５６が、すべての復調器４５４ａ〜４５４ｒから受信シンボルを取得し、適用可能な場合は受信シンボルに対してＭＩＭＯ検出を実行し、検出されたシンボルを与え得る。受信プロセッサ４５８が、検出シンボルを処理（たとえば、復調、デインターリーブ、および復号）し、ＵＥ１１５のための復号されたデータをデータシンク４６０に与え、復号された制御情報をコントローラ／プロセッサ４８０に与え得る。
【００４９】
[0059]アップリンク上では、ＵＥ１１５において、送信プロセッサ４６４が、データソース４６２から（たとえば、物理アップリンク共有チャネル（ＰＵＳＣＨ：physical uplink shared channel）のための）データを受信し、処理し得、コントローラ／プロセッサ４８０から（たとえば、物理アップリンク制御チャネル（ＰＵＣＣＨ：physical uplink control channel）のための）制御情報を受信し、処理し得る。送信プロセッサ４６４はまた、基準信号について基準シンボルを生成し得る。送信プロセッサ４６４からのシンボルは、適用可能な場合はＴＸ  ＭＩＭＯプロセッサ４６６によってプリコーディングされ、さらに（たとえば、ＳＣ−ＦＤＭなどのために）変調器４５４ａ〜４５４ｒによって処理され、ｅＮＢ１０５に送信され得る。ｅＮＢ１０５において、ＵＥ１１５からのアップリンク信号は、アンテナ４３４によって受信され、復調器４３２によって処理され、適用可能な場合はＭＩＭＯ検出器４３６によって検出され、ＵＥ１１５によって送られた復号されたデータと制御情報とを取得するために、受信プロセッサ４３８によってさらに処理され得る。プロセッサ４３８は、復号されたデータをデータシンク４３９に与え、復号された制御情報をコントローラ／プロセッサ４４０に与え得る。
【００５０】
[0060]コントローラ／プロセッサ４４０および４８０は、それぞれｅＮＢ１０５における動作およびＵＥ１１５における動作を指示し得る。ｅＮＢ１０５におけるコントローラ／プロセッサ４４０ならびに／あるいは他のプロセッサおよびモジュールは、本明細書で説明する技法のための様々なプロセスを実行するか、またはその実行を指示し得る。ＵＥ１１５におけるコントローラ／プロセッサ４８０ならびに／あるいは他のプロセッサおよびモジュールはまた、図６Ａ、図６Ｂ、図７Ａ、および図７Ｂに示す機能ブロック、および／または本明細書で説明する技法のための他のプロセスを実行するか、またはその実行を指示し得る。メモリ４４２および４８２は、それぞれｅＮＢ１０５およびＵＥ１１５のためのデータおよびプログラムコードを記憶し得る。スケジューラ４４４は、ダウンリンクおよび／またはアップリンク上でのデータ送信のためにＵＥをスケジュールし得る。
【００５１】
[0061]ＬＴＥワイヤレス通信システムは、様々な実装形態のためのフレキシブルなシステム帯域幅をサポートする。ＬＴＥシステムは、１．４、３、５、１０、１５、または２０ＭＨｚなど、いくつかの異なるシステム帯域幅のために構成され得る。既存のＬＴＥシステムでは、システム帯域幅情報は、一般に、物理ブロードキャストチャネル（ＰＢＣＨ）、拡張ＰＢＣＨ（ｅＰＢＣＨ）など、システム情報を搬送するシステムブロードキャスト信号またはチャネル中で搬送される。起動時に、ＵＥは、ＵＥがそれにおいて起動したシステムの帯域幅を知らないことがある。ＵＥは、概して、セル識別子（セルＩＤ）を取得するためにプライマリ同期信号（ＰＳＳ）とセカンダリ同期信号（ＳＳＳ）とを復号することによって開始する。セルＩＤを用いて、ＵＥは、次いで、システム帯域幅を読み取るために、ベアラ帯域信号であるＰＢＣＨを復号し得る。
【００５２】
[0062]様々なＬＴＥシステム属性は、特定のシステム帯域幅に基づいてまたは特定のシステム帯域幅に固有に構成され得るが、他のシステム属性はシステム帯域幅に依存しないことがある。たとえば、共通基準信号（ＣＲＳ）についてのシーケンスは、リソースブロック（ＲＢ）の中心セットがシステム帯域幅にかかわらず同じシーケンスを有するような方法でマッピングされる。これにより、ＵＥがシステム帯域幅に気づいていないことがあるときのセル探索が可能になる。図５Ａは、異なるシステム帯域幅を有する通信システムについての送信ブロック５０および５１を示すブロック図である。送信ブロック５０は、２０ＭＨｚシステム帯域幅をもつ通信システムのシンボル０中で送信される１００個のＲＢのブロックを表す。図示のリソースブロック中で識別された例示的な番号は説明を目的としたものにすぎず、各ＲＢ内のリソース要素（ＲＥ）へのシーケンスマッピングを概念的に表す。シンボル０では、共通基準信号（ＣＲＳ）が送信される。ＣＲＳについてのシーケンスマッピングは、既知の共通周波数を中心とするＲＢの固定セット５００によって決定される。ＲＢのこの固定セット５００は、たとえば、送信ブロック５０の中心の６つのＲＢとして示されている。ＣＲＳを送信する基地局と通信しているＵＥは、ＲＢの固定セット５００におけるＣＲＳシーケンスマッピングを知ることになろう。送信ブロック５１は、１０ＭＨｚシステム帯域幅をもつ通信システムのシンボル０中で送信される５０個のＲＢのブロックを表す。送信ブロック５１中で送信されるＣＲＳは、ＲＢの固定セット５０１において、送信ブロック５０中のＣＲＳ送信と同じシーケンスマッピングを有する。ＵＥは、したがって、ＲＢの固定セット５００または５０１中のシーケンスを検出することによって、システム帯域幅を知ることには関係なしにＣＲＳについての同じシーケンスマッピングを取得し得る。
【００５３】
[0063]対照的に、より小さい帯域幅についてのシーケンスがより大きい帯域幅についてのシーケンスのサブセットであり得るような方法で、ＵＥ固有基準信号（ＵＥＲＳ：UE-specific reference signal）のシーケンス生成が実行される。したがって、ＵＥＲＳは最低周波数インデックスからアライメントされることになる。図５Ｂは、異なるシステム帯域幅を有する通信システムについての送信ブロック５２および５３を示すブロック図である。送信ブロック５０は、２０ＭＨｚシステム帯域幅をもつ通信システムのシンボル５中で送信される１００個のＲＢのブロックを表す。ＵＥＲＳはシンボル５中で送信される。ＲＢの固定セット５０２は、２０ＭＨｚシステムにおけるＵＥＲＳについてのシーケンスを含む。送信ブロック５３は、１０ＭＨｚシステム帯域幅をもつ通信システムのシンボル５中で送信される５０個のＲＢのブロックを表す。送信ブロック５３のシンボル５中で送信されるＵＥＲＳは、ＲＢの固定セット５０３におけるシーケンスマッピングを含む。しかしながら、ＵＥＲＳについてのシーケンスマッピングが帯域幅依存であるので、ＲＢの固定セット５０２中の送信ブロック５２の２０ＭＨｚシステム帯域幅システムについてのシーケンスマッピングは、１０ＭＨｚシステム帯域幅システムの送信ブロック５３中で送信されるＵＥＲＳについてのシーケンスマッピングに一致しない。したがって、この周波数依存整合は、特定のシステム帯域幅に応じてＲＢの中心セットについて異なるＵＥＲＳシーケンスを作成し得る。
【００５４】
[0064]無認可スペクトルを用いる現代のＬＴＥシステムおよびＬＴＥ／ＬＴＥ−Ａシステム展開では、ＰＢＣＨ、発展型ＰＢＣＨ（ｅＰＢＣＨ）など、様々な共通チャネルを復調／復号するために、基準信号シーケンス（たとえば、ＵＥＲＳ、ＣＲＳ、ｅＣＲＳなど）が使用され得る。基礎をなすシステムがフレキシブルなシステム帯域幅をサポートするので、ＵＥは、起動時にシステム帯域幅を知らないことがある。したがって、システム帯域幅を知らずに、ＵＥは、ＰＢＣＨ／ｅＰＢＣＨを復調／復号するために適切なチャネル推定値を生成するために使用されるであろう、基準信号の特定のシーケンスを決定することが可能でないことがある。
【００５５】
[0065]本開示の様々な態様は、ＵＥが、システム帯域幅構成にかかわらず、基準信号（たとえば、ＵＥＲＳ、ＣＲＳなど）のためのシーケンスマッピングを決定することが可能であることを保証するための解決策を提供する。無認可スペクトルを用いるＬＴＥ／ＬＴＥ−Ａの補足ダウンリンク（ＳＤＬ）モードまたはキャリアアグリゲーション（ＣＡ）モードでは、認可スペクトルキャリアの保証された送信を活用することによって、保証されていない、無認可帯域セカンダリコンポーネントキャリア（ＳＣＣ）についてのシステム帯域幅情報を搬送するために、プライマリコンポーネントキャリア（ＰＣＣ）が使用され得る。しかしながら、このオプションは、無認可スペクトルを用いるスタンドアロン（ＳＡ）モードＬＴＥ／ＬＴＥ−Ａ展開において利用可能ではないであろう。したがって、無認可スペクトル上でのアドバンストＬＴＥシステムおよび任意の通信モードに適合するために、本開示の様々な態様は、ネットワークからの、ＰＢＣＨ、ｅＰＢＣＨなど、帯域幅情報搬送信号を復調／復号するために、ＵＥが基準信号シーケンスを知ることを保証するためにシーケンスマッピングを変更する解決策を提供する。
【００５６】
[0066]本開示の第１の例示的な態様では、様々な実装形態は、ＣＲＳが現在のＬＴＥシステムにおいて生成されるのと同様の方式で生成されるべきＵＥＲＳシーケンスを与える。そのような態様では、中心のＮ個のＲＢは、システム帯域幅にかかわらず同じＵＥＲＳシーケンスを有する。展開またはシステムに応じて、Ｎは、４、６、８、または任意の他の適用可能な数のＲＢであり得る。本開示の追加の態様では、他のタイプの基準信号が同様の方式で生成され得る。
【００５７】
[0067]図６Ａおよび図６Ｂは、本開示の一態様を実装するために実行される例示的なブロックを示す機能ブロック図である。ブロック６００において、基地局は、特定のＵＥに送信するために第１のサブフレームについての基準信号（ＵＥＲＳ、ＣＲＳ、ｅＣＲＳなど）を生成する。生成プロセスはブロック６０１および６０２を含む。生成プロセスのブロック６０１において、第１の基準信号シーケンスが、所定の共通周波数を中心としてＲＢの固定セットについて中心を合わせられる。ＲＢの固定セットは、上述のように、４、６、８など、様々な数の中心ＲＢであり得る。所定の共通周波数はまた、一般に、送信の中心周波数、またはシステムにおいてデバイスに知られている共通探索帯域幅であり得る。したがって、基準信号は、所定の中心周波数を中心として中心ＲＢのこのセットについて第１の基準信号シーケンスの中心を合わせることによって生成される。
【００５８】
[0068]ブロック６０２において、次いで、システム帯域幅を満たすために、第１の基準信号シーケンスを中心とする追加の基準信号が追加される。いくつかの態様では、ＲＢの固定セット中の第１の基準信号シーケンスは、システム帯域幅を満たすためにどちら側でも繰り返され得るが、他の態様では、追加の基準信号拡張が第１の基準信号シーケンスに追加され得る。したがって、基準信号を生成する際に、第１の基準信号シーケンスはシステム帯域幅に依存しない。ブロック６０３において、第１のサブフレームについての基準信号の生成が完了した後、基地局は第１のサブフレーム中で基準信号をＵＥに送信する。
【００５９】
[0069]ＵＥ側では、ブロック６０４において、ＵＥは第１のサブフレームにおいて基地局から基準信号を受信する。ＵＥは、ブロック６０５において、所定の共通周波数を中心とするＲＢの固定セット中の基準信号シーケンスを検出する。本開示の図示の態様では、ＵＥは、中心周辺の中心ＲＢにおける適切な基準信号シーケンスを検出することを知っている。
【００６０】
[0070]基準信号シーケンスからのシーケンスマッピングを使用して、ＵＥは、ブロック６０６において、基準信号シーケンスに基づいてチャネル推定値を生成する。したがって、システム帯域幅についての知識の必要なしに、ＵＥは、基地局からの基準信号中の適切な基準信号シーケンスを検出し、チャネル推定値を生成するためにそのシーケンスを利用することが可能である。ブロック６０７において、ＵＥは、次いで、チャネル推定値を使用して、基地局から受信された帯域幅情報搬送信号を復号する。
【００６１】
[0071]基準信号シーケンスはまた、サブフレーム番号またはシステムフレーム番号（ＳＦＮ：system frame number）にリンクされ得る。ＵＥは、ブラインド復号を通して、または基地局からの管理情報ブロック（ＭＩＢ：management information block）送信からＳＦＮを取得し得る。したがって、ＳＦＮを知ることと、シーケンスがＳＦＮに基づく方式を知ることとによって、ＵＥは、ＳＦＮを取得することによってシーケンスマッピングを決定することが可能となる。たとえば、後続のサブフレームにおいて異なる基準信号シーケンスを有することが有益であり得る。現在のシステムでは、ＣＲＳは１０ｍｓごとに送信され、ＰＢＣＨは、２０、４０、または８０ｍｓごとに送信され得る。後続の送信においてＰＢＣＨを復号するために、異なる基準信号シーケンスを有することが有用であり得る。したがって、第１のＳＦＮに対応するサブフレーム０では、基準信号は第１の基準信号シーケンスを含む。異なる特定のＳＦＮに対応するサブフレーム２０では、基準信号は、２０ｍｓの所定の周期性で送信されたＰＢＣＨを復号するために使用され得る異なるシーケンスマッピングを使用して生成される。本開示の様々な代替の態様によれば、ＵＥはネットワークからＳＦＮを取得し得る。取得されたＳＦＮが第１のＳＦＮである場合、ＵＥは、第１の基準信号シーケンスを検出することを知る。しかしながら、取得されたＳＦＮがサブフレーム２０についての異なる固有のＳＦＮである場合、ＵＥは、サブフレーム２０中で送信された基準信号に関連する異なるシーケンスマッピングを検出することを知る。代替的に、２つの異なる基準信号は、同じＳＦＮにおいて、ただし異なるサブフレーム中で送信され得る。したがって、ＵＥは、ＳＦＮを通じて両方のシーケンスマッピングを決定することが可能となり得る。
【００６２】
[0072]本開示の別の態様では、異なるタイプの基準信号シーケンスが含まれ得る。たとえば、帯域幅情報搬送信号を復号するための特定の基準信号シーケンスが提供され得、ここで、特定の基準信号シーケンスは、セルＩＤに応じて構成され、したがって、使用されるシステム帯域幅には依存しない。追加のタイプの基準信号および基準信号シーケンスは、システム帯域幅に依存する既存の基準信号シーケンスを含み得る。したがって、追加の態様では、少なくとも２つのタイプの基準信号シーケンスが生成され得る。システム帯域幅情報搬送信号を復号／復調するためにＵＥによって使用され得る、帯域幅に依存しない第１のタイプ、および、既存のシーケンス生成技法に基づくシーケンスを有し得る、任意の他の特定の送信のすべての他のＲＢのために使用され得る第２のタイプ。
【００６３】
[0073]図７Ａおよび図７Ｂは、本開示の一態様を実装するために実行される例示的なブロックを示す機能ブロック図である。ブロック７００において、基地局は複数の第１の基準信号を生成し、ここにおいて、そのような第１の基準信号の各々は、基地局セルＩＤに応じて構成された基準信号シーケンスを含む。基準信号シーケンスがセルＩＤに基づいて構成されるので、それはシステム帯域幅に依存しない。
【００６４】
[0074]ブロック７０１において、基地局は、所定の周期性で帯域幅情報搬送信号を生成し、ブロードキャストする。基地局は、基地局のセルＩＤ、任意の半静的リソース割振り情報など、システム情報と、前述したように、そのようなシステム情報の中でも、システム帯域幅情報とを含む様々な信号をブロードキャストする。基地局は、様々な所定の周期性で、帯域幅情報搬送信号など、このシステム情報を周期的にブロードキャストする。上述のように、１つのそのような共通帯域幅情報搬送信号の一例はＰＢＣＨおよびｅＰＢＣＨである。そのようなブロードキャストチャネルは、２０、４０、および８０ｍｓ間隔または周期で送信され得る。ブロック７０２において、基地局は、ブロードキャストされた帯域幅情報搬送信号と同じ所定の周期性で複数の第１の基準信号を連続的に送信する。たとえば、帯域幅情報搬送信号の第１の送信とともに、複数の第１の基準信号のうちの第１の基準信号が送信され得、次いで、４０ｍｓ後に、複数の第１の基準信号のうちの第２の基準信号が送信され得、ここで、４０ｍｓは帯域幅情報搬送信号の所定の周期性である。各連続周期で、基地局は、帯域幅情報搬送信号と、基準信号シーケンスを含む複数の第１の基準信号のうちの１つとをブロードキャストする。
【００６５】
[0075]ＵＥ側において、ブロック７０３において、ＵＥは基地局から第１の基準信号を受信する。ＵＥは、それがシステム帯域幅をまだ知らないことがあるが、基地局のセルＩＤを知っている。ブロック７０４において、ＵＥは第１の基準信号中の基準信号シーケンスを検出し、ここにおいて、基準信号シーケンスはセルＩＤに基づいて検出される。検出された基準信号シーケンスを使用して、ＵＥは、ブロック７０５において、チャネル推定値を生成し、ブロック７０６において、チャネル推定値を使用して、基地局から受信された帯域幅情報搬送信号を復号する。したがって、ＵＥは、システム帯域幅を知らずに基準信号シーケンスを検出することが可能であり、これは、ＵＥが、適切にチャネル推定値を生成し、帯域幅情報搬送信号を復号することを可能にする。
【００６６】
[0076]そのようなセルＩＤベースのシーケンスを与える本開示の態様は、依然としてＲＢインデックスにリンクされ得ることに留意されたい。ただし、ＲＢインデックスはシステム帯域幅に依存しない。
【００６７】
[0077]帯域幅情報搬送信号が、同じサブフレーム、サブフレームまたはフレームのサブセット内で周波数分割多重（ＦＤＭ）によって他のチャネルとともに送信されるときには、異なるチャネルを復号するために異なるシーケンスが使用され得る。たとえば、ＰＢＣＨおよびｅＰＢＣＨは、帯域幅非依存シーケンスマッピングのために中心の６つのＲＢを使用し得るが、システム帯域幅内の残りのＲＢは他のチャネルのために使用される。それらの他のチャネルについての基準信号シーケンス生成は、帯域幅情報搬送信号についての基準信号シーケンス生成に依存しないことがある。そのような他の送信フレームの場合、既存のＬＴＥ基準信号シーケンス生成技法が使用され得る。
【００６８】
[0078]様々なタイプの帯域幅情報搬送信号のために使用されるＲＢについての基準信号シーケンス生成は、同じまたは異なる送信機会において他のＲＢとは異なり得る。図８は、本開示の一態様に従って構成された基地局とＵＥとを有するワイヤレス通信システムにおける送信ストリーム８０を示すブロック図である。たとえば、送信ストリーム８０は、ｅＮＢ１０５とＵＥ１１５との間で通信され得、それらは両方とも、図６Ａ、図６Ｂ、図７Ａ、および図７Ｂに関して図示および説明した機能を実行するように本開示の様々な態様に従って構成され得る。送信ストリーム８０は、送信ブロック８００〜８０３を含み、それは、「Ｂ」と標示された通常送信ＲＢと、共通周波数を中心とするＲＢの固定セットにおける、「Ａ」と標示された帯域幅非依存基準信号シーケンスとを含む。送信ブロック８００〜８０３は８０ｍｓの間隔で送信される。また、ＲＢの固定セット内で、ＯＦＤＭシンボル８０４は、ＰＳＳと、ＳＳＳと、ｅＣＲＳと、ｅＰＢＣＨとを含む。送信ブロック８０５中の通常送信ＲＢは、また、帯域幅非依存基準信号シーケンス「Ａ」と同じ周波数における基準信号シーケンスを含む。送信ブロック８０５の通常の、帯域幅依存基準信号シーケンス「Ｂ」は、送信ブロック８０５の通常送信ＲＢを復号する際に使用され得るが、帯域幅非依存基準信号シーケンス「Ａ」は、ＲＢの固定セットにおける送信ブロック８００〜８０３の各々中で送信される、ＯＦＤＭシンボル８０４のｅＰＢＣＨを復号するために使用され得る。送信ブロック８００〜８０３および送信ブロック８０５を生成する基地局からの通信を受信するＵＥは、「Ａ」における帯域幅非依存基準信号シーケンスを検出することによってＯＦＤＭシンボル８０４のｅＰＢＣＨを復号し、送信ブロック８０５中のＲＢ「Ｂ」の固定セットにおける帯域幅依存基準信号を使用して通常送信ＲＢ「Ｂ」を復号するように構成される。
【００６９】
[0079]図８に示されているように、帯域幅非依存基準信号シーケンスは、図６Ａ、図６Ｂ、図７Ａ、および図７Ｂに関して図示および説明した態様のいずれかに従って生成され、検出され得ることに留意されたい。
【００７０】
[0080]ｅＰＢＣＨのために使用されるＲＢについての基準信号シーケンス生成はまた、何らかの周期性で時間とともに変化し得る。図９は、本開示の一態様に従って構成された基地局とＵＥとを有するワイヤレス通信システムにおける送信ストリーム９０を示すブロック図である。送信ストリーム９０は、通常送信ＲＢを復号するための帯域幅依存基準信号シーケンスを有する通常ＲＢ送信ブロック９０９に加えて周期送信ブロック９００、９０２、９０５、および９０７を含む。周期送信ブロック９００および９０５はそれぞれ、「Ａ１」と標示された第１のタイプの基準信号シーケンス９０１および９０８を含む。周期送信ブロック９０２および９０７はそれぞれ、「Ａ２」と標示された第２のタイプの基準信号シーケンス９０３および９０３を含む。第２のタイプの基準信号シーケンス「Ａ２」は、第１のタイプの基準信号シーケンス「Ａ１」とは異なるシーケンスマッピングである。周期送信ブロック９００、９０２、９０５、および９０７の各々は８０ｍｓの所定の周期性で送信されるが、第１のタイプの基準信号シーケンス９０１および９０６、ならびに第２のタイプの基準信号シーケンス９０３および９０８は１６０ｍｓの周期性で送信される。したがって、異なる共通信号が、ＯＦＤＭシンボル９０４の交互間隔で復号され、周期送信ブロック９００、９０２、９０５、および９０７の各々中で送信され得る。
【００７１】
[0081]中心周波数ＲＢまたは共通周波数内の、帯域幅情報を含む、システム情報を搬送する帯域幅情報搬送信号の各々について、基地局は、バンドルされた物理ＲＢ（ＰＲＢ）を使用して送信を符号化し得る。ＰＲＢをバンドルするときには、基地局は、同じプリコーディングパラメータを使用して中心周波数ＲＢの各々をプリコーディングし得るか、または、それらは、プリコーディングパラメータの関係するセットを使用して中心周波数ＲＢの各々をプリコーディングし得るかのいずれかである。ＵＥ側では、ＵＥは、同じプリコーディングが中心周波数ＲＢのすべてのために使用されると仮定し、その場合、単一のチャネル推定値が復号のために生成され、使用され得ることを知るか、またはＲＢとプリコーディングパラメータとの間のプログレッション関係（progression relationship）とともに使用されるプリコーディングパラメータのセットを知るかのいずれかである。中心周波数ＲＢが、プリコーディングパラメータの固定セットを使用してバンドルされる態様では、ＵＥは、最初に、既知のプリコーディングを使用して第１のＲＢの位相をアライメントさせる。次いで、各連続ＲＢについて、ＵＥは、中心周波数ＲＢのうちの次のＲＢを復号するために、既知のプログレッション（progression）だけチャネル推定値の位相を回転させる。
【００７２】
[0082]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７３】
[0083]図６Ａ、図６Ｂ、図７Ａ、および図７Ｂの機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００７４】
[0084]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。当業者はまた、本明細書で説明した構成要素、方法、または相互作用の順序あるいは組合せは例にすぎないこと、および本開示の様々な態様の構成要素、方法、または相互作用は、本明細書で例示し、説明したもの以外の方法で組み合わせられるかまたは実行され得ることを容易に認識されよう。
【００７５】
[0085]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７６】
[0086]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００７７】
[0087]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７８】
[0088]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００７９】
[0089]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
ワイヤレス通信の方法であって、
基地局において、第１のサブフレームについて基準信号を生成することと、ここにおいて、前記生成することが、システム帯域幅に依存しない所定の共通周波数を中心としてリソースブロック（ＲＢ）の固定セットについての前記基準信号の第１のシーケンスの中心を合わせることを含む、
前記基地局によって、前記第１のサブフレーム中で前記基準信号を送信することと
を備える、方法。
［Ｃ２］
前記所定の共通周波数は、前記基地局が存在する通信システムの共通セル探索帯域幅を含む、Ｃ１に記載の方法。
［Ｃ３］
前記基地局において、別のサブフレームについて第２の基準信号を生成することと、ここにおいて、前記第２の基準信号の第２のシーケンスが前記第１のシーケンスとは異なり、ここにおいて、前記第１のシーケンスが第１のシステムフレーム番号または第１のサブフレーム番号に関連し、前記第２のシーケンスが第２のシステムフレーム番号または第２のサブフレーム番号に関連する、
前記基地局によって、前記別のサブフレーム中で前記第２の基準信号を送信することと
をさらに含む、Ｃ１に記載の方法。
［Ｃ４］
ＲＢの前記固定セットについての前記第２のシーケンスが前記システム帯域幅に依存しない、Ｃ３に記載の方法。
［Ｃ５］
前記基地局において、同じプリコーディングを使用して帯域幅情報搬送信号についてのＲＢのセットの各ＲＢをプリコーディングすることと、
ＲＢの前記プリコーディングされたセットを使用して前記帯域幅情報搬送信号を送信することと
をさらに含む、Ｃ１に記載の方法。
［Ｃ６］
前記基地局において、ＵＥに知られている固定セットプリコーディングパラメータを使用して帯域幅情報搬送信号についてのＲＢのセットをプリコーディングすることと、
ＲＢの前記プリコーディングされたセットを使用して前記帯域幅情報搬送信号を送信することと
をさらに含む、Ｃ１に記載の方法。
［Ｃ７］
ワイヤレス通信の方法であって、
ユーザ機器（ＵＥ）において、第１のサブフレームにおいて基地局から基準信号を受信することと、
前記ＵＥによって、所定の共通周波数を中心とするリソースブロック（ＲＢ）の固定セット中の基準信号シーケンスを検出することと、ここにおいて、前記基準信号シーケンスがシステム帯域幅に依存しない、
前記ＵＥによって、前記基準信号シーケンスに基づいてチャネル推定値を生成することと、
前記ＵＥによって、前記チャネル推定値を使用して、前記基地局から受信された帯域幅情報搬送信号を復号することと
を備える、方法。
［Ｃ８］
前記所定の共通周波数は、前記ＵＥが存在する通信システムの共通セル探索帯域幅を含む、Ｃ７に記載の方法。
［Ｃ９］
前記基地局から現在のシステムフレーム番号（ＳＦＮ）または現在のサブフレーム番号を取得すること、ここにおいて、前記基準信号シーケンスを前記検出することが前記現在のＳＦＮまたは前記現在のサブフレーム番号に基づく、
をさらに含む、Ｃ７に記載の方法。
［Ｃ１０］
前記ＵＥにおいて、別のサブフレームにおいて前記基地局から第２の基準信号を受信することと、
前記基地局から前記別のサブフレームに関連する別のＳＦＮまたは別のサブフレーム番号を取得することと、
前記所定の共通周波数を中心とするＲＢの前記固定セット中の第２の基準信号シーケンスを検出することと、ここにおいて、前記検出することが前記別のＳＦＮに基づく、
前記第２の基準信号シーケンスに基づいて第２のチャネル推定値を生成することと、
前記チャネル推定値を使用して前記基地局からの第２の帯域幅情報搬送信号を復号することと
をさらに含む、Ｃ９に記載の方法。
［Ｃ１１］
前記第２の基準信号シーケンスが前記システム帯域幅に依存しない、Ｃ１０に記載の方法。
［Ｃ１２］
前記帯域幅情報搬送信号を前記復号することが、
前記基地局からの前記帯域幅情報搬送信号を搬送するＲＢのセット中の各ＲＢについての同じプリコーディングを使用して、前記帯域幅情報搬送信号を復号すること
を含む、Ｃ７に記載の方法。
［Ｃ１３］
前記帯域幅情報搬送信号を前記復号することが、
前記帯域幅情報搬送信号についての前記所定の共通周波数を中心とするＲＢの前記固定セットについてのプリコーディングパラメータの所定のセットを使用して、前記帯域幅情報搬送信号を復号すること、ここにおいて、前記ＵＥが、知られているプリコーディングシーケンスを使用してＲＢの前記固定セットの関連するＲＢを復号するために、プリコーディングパラメータの前記所定のセットから前記プリコーディングパラメータを選択する、
を含む、Ｃ７に記載の方法。
［Ｃ１４］
ワイヤレス通信のために構成された装置であって、
基地局において、第１のサブフレームについて基準信号を生成するための手段と、ここにおいて、生成するための前記手段が、所定の共通周波数を中心としてリソースブロック（ＲＢ）の固定セットについての第１の基準信号シーケンスの中心を合わせるための手段を含む、
前記基地局によって、前記第１のサブフレーム中で前記基準信号をユーザ機器（ＵＥ）に送信するための手段と
を備える、装置。
［Ｃ１５］
前記所定の共通周波数は、前記基地局が存在する通信システムの共通セル探索帯域幅を含む、Ｃ１４に記載の装置。
［Ｃ１６］
前記基地局において、別のサブフレームについて第２の基準信号を生成するための手段と、ここにおいて、前記第２の基準信号の第２の基準信号シーケンスが前記第１の基準信号シーケンスとは異なり、ここにおいて、前記第１の基準信号シーケンスが第１のシステムフレーム番号または第１のサブフレーム番号に関連し、前記第２の基準信号シーケンスが第２のシステムフレーム番号または第２のサブフレーム番号に関連する、
前記基地局によって、前記別のサブフレーム中で前記第２の基準信号を前記ＵＥに送信するための手段と
をさらに含む、Ｃ１４に記載の装置。
［Ｃ１７］
ＲＢの前記固定セットについての前記第２の基準信号シーケンスが前記システム帯域幅に依存しない、Ｃ１６に記載の装置。
［Ｃ１８］
前記基地局において、同じプリコーディングを使用して帯域幅情報搬送信号についてのＲＢのセットの各ＲＢをプリコーディングするための手段と、
ＲＢの前記プリコーディングされたセットを使用して前記帯域幅情報搬送信号を送信するための手段と
をさらに含む、Ｃ１４に記載の装置。
［Ｃ１９］
前記基地局において、前記ＵＥに知られている固定セットプリコーディングパラメータを使用して帯域幅情報搬送信号についてのＲＢのセットをプリコーディングするための手段と、
ＲＢの前記プリコーディングされたセットを使用して前記帯域幅情報搬送信号を送信するための手段と
をさらに含む、Ｃ１４に記載の装置。
［Ｃ２０］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
基地局において、第１のサブフレームについて基準信号を生成することと、ここにおいて、生成するための前記少なくとも１つのプロセッサの構成が、所定の共通周波数を中心としてリソースブロック（ＲＢ）の固定セットについての第１の基準信号シーケンスの中心を合わせるための構成を含む、
前記基地局によって、前記第１のサブフレーム中で前記基準信号をユーザ機器（ＵＥ）に送信することと
を行うように構成された、装置。
［Ｃ２１］
前記所定の共通周波数は、前記基地局が存在する通信システムの共通セル探索帯域幅を含む、Ｃ２０に記載の装置。
［Ｃ２２］
前記少なくとも１つのプロセッサは、前記基地局において、別のサブフレームについて第２の基準信号を生成することと、ここにおいて、前記第２の基準信号の第２の基準信号シーケンスが前記第１の基準信号シーケンスとは異なり、前記第１の基準信号シーケンスが第１のシステムフレーム番号または第１のサブフレーム番号に関連し、前記第２の基準信号シーケンスが第２のシステムフレーム番号または第２のサブフレーム番号に関連する、
前記基地局によって、前記別のサブフレーム中で前記第２の基準信号を前記ＵＥに送信することと
を行うようにさらに構成された、Ｃ２０に記載の装置。
［Ｃ２３］
ＲＢの前記固定セットについての前記第２の基準信号シーケンスが前記システム帯域幅に依存しない、Ｃ２２に記載の装置。
［Ｃ２４］
前記少なくとも１つのプロセッサが、
前記基地局において、同じプリコーディングを使用して帯域幅情報搬送信号についてのＲＢのセットの各ＲＢをプリコーディングすることと、
ＲＢの前記プリコーディングされたセットを使用して前記帯域幅情報搬送信号を送信することと
を行うようにさらに構成された、Ｃ２０に記載の装置。
［Ｃ２５］
前記少なくとも１つのプロセッサが、
前記基地局において、前記ＵＥに知られている固定セットプリコーディングパラメータを使用して帯域幅情報搬送信号についてのＲＢのセットをプリコーディングすることと、
ＲＢの前記プリコーディングされたセットを使用して前記帯域幅情報搬送信号を送信することと
を行うようにさらに構成された、Ｃ２０に記載の装置。
【図１】
0006449253.tif 000002
【図２Ａ】
0006449253.tif 000003
【図２Ｂ】
0006449253.tif 000004
【図３】
0006449253.tif 000005
【図４】
0006449253.tif 000006
【図５Ａ】
0006449253.tif 000007
【図５Ｂ】
0006449253.tif 000008
【図６Ａ】
0006449253.tif 000009
【図６Ｂ】
0006449253.tif 000010
【図７Ａ】
0006449253.tif 000011
【図７Ｂ】
0006449253.tif 000012
【図８】
0006449253.tif 000013
【図９】
0006449253.tif 000014